(57)【特許請求の範囲】
【請求項１】
互いに一定の距離を挟んで対向して配置された第１の基板及び第２の基板、
前記第１の基板と前記第２の基板との間に液晶分子を封止して成る液晶層、
前記液晶分子を一定の配向方向に配列させる配向膜、
前記第１の基板側に形成された対向電極、
前記第１の基板側に形成された画素電極、並びに、
前記画素電極に電気的に接続された薄膜トランジスタを有し、
前記画素電極は、複数の電極枝及び前記複数の電極枝の両端を連結する連結部から構成され、一方の連結部において画素電極コンタクト部を介して前記薄膜トランジスタと接続されており、
前記複数の電極枝は、直線部分において互いに平行に配置されるとともに、
各電極枝が相対的に、前記一方の連結部に最も近い位置に形成される第１の屈曲点、他方の連結部に最も近い位置に形成される第２の屈曲点、前記第１の屈曲点と前記第２の屈曲点との間に形成される第３の屈曲点、前記第３の屈曲点と前記第１の屈曲点との間に形成される第４の屈曲点、及び前記第３の屈曲点と前記第２の屈曲点との間に形成される第５の屈曲点、を有し、
前記複数の電極枝の前記一方の連結部と前記第１の屈曲点との間に形成されるスリットの延設方向と前記配向方向との交差角をα１、前記他方の連結部と前記第２の屈曲点との間に形成されるスリットの延設方向と前記配向方向との交差角を−α１、前記第１の屈曲点と前記第４の屈曲点との間に形成されるスリットの延設方向と前記配向方向との交差角をα２、前記第２の屈曲点と前記第５の屈曲点との間に形成されるスリットの延設方向と前記配向方向との交差角を−α２、前記第４の屈曲点と前記第３の屈曲点との間に形成されるスリットの延設方向と前記配向方向との交差角をα３、前記第５の屈曲点と前記第３の屈曲点との間に形成されるスリットの延設方向と前記配向方向との交差角を−α３、としたとき、
７（度）＜α１≦１５（度）、
７（度）≦α２、
７（度）＜α３≦１５（度）、
α２＜α１、
α２＜α３、
を満足し、
当該複数の電極枝は、前記第３の屈曲点で連結枝によって相互に接続されている、
液晶パネル。
【請求項２】
前記第４の屈曲点は、前記第１の屈曲点と前記第３の屈曲点の中間点よりも前記第３の屈曲点に近い側に形成され、
前記第５の屈曲点は、前記第２の屈曲点と前記第３の屈曲点の中間点よりも前記第３の屈曲点に近い側に形成される、
請求項１に記載の液晶パネル。
【請求項３】
前記第３の屈曲点は、前記一方の連結部と前記他方の連結部との間の中央付近に配置され、前記画素電極は、前記第３の屈曲点から前記連結枝に沿って延在する仮想線を境界として、上下鏡面構造を有する、
請求項１または請求項２に記載の液晶パネル。
【請求項４】
互いに一定の距離を挟んで対向して配置された第１の基板及び第２の基板、
前記第１の基板と前記第２の基板との間に液晶分子を封止して成る液晶層、
前記液晶分子を一定の配向方向に配列させる配向膜、
前記第１の基板側に形成された対向電極、
前記第１の基板側に形成された画素電極、並びに、
前記画素電極に電気的に接続された薄膜トランジスタ、を有し、
前記画素電極は、複数の電極枝及び前記複数の電極枝の両端を連結する連結部から構成され、一方の連結部において画素電極コンタクト部を介して前記薄膜トランジスタと接続されており、
前記複数の電極枝は、直線部分において、互いに平行に配置されるとともに、
各電極枝が相対的に、前記一方の連結部に最も近い位置に形成される第１の屈曲点、他方の連結部に最も近い位置に形成される第２の屈曲点、及び前記第１の屈曲点と前記第２の屈曲点との間に形成される第３の屈曲点を、有し、
前記複数の電極枝の前記一方の連結部と前記第１の屈曲点との間に形成されるスリットの延設方向と前記配向方向との交差角をα１、前記他方の連結部と前記第２の屈曲点との間に形成されるスリットの延設方向と前記配向方向との交差角を−α１、前記第１の屈曲点と前記第３の屈曲点との間に形成されるスリットの延設方向と前記配向方向との交差角をα２、前記第２の屈曲点と前記第３の屈曲点との間に形成されるスリットの延設方向と前記配向方向との交差角を−α２としたとき、
７（度）＜α１≦１５（度）、
７（度）≦α２、
α２＜α１、
を満足し、
当該複数の電極枝は、前記第３の屈曲点で連結枝によって相互に接続されている、
液晶パネル。
【請求項５】
前記画素電極及び前記対向電極は異なる階層面に形成されている、
請求項１乃至請求項４のいずれか１項に記載の液晶パネル。
【請求項６】
請求項１乃至請求項５のいずれか１項に記載の液晶パネル、
前記液晶パネルを駆動する駆動回路、
システム全体の動作を制御するシステム制御部、及び、
前記システム制御部に対する操作入力を受け付ける操作入力部、
を有する電子機器。
【発明の詳細な説明】
【技術分野】
【０００１】
この明細書で説明する発明は、画素電極と対向電極との間に発生される横方向電界により液晶分子の配列を基板面と平行に回転制御する駆動方式の液晶パネルに関する。なお、この明細書で提案する発明は、当該液晶パネルを搭載した電子機器としての側面を有する。
【背景技術】
【０００２】
現在、液晶パネルのパネル構造には、パネル面に対して垂直方向に電界を発生する縦電界表示型に加え、様々なパネル構造が提案されている。例えばパネル面に対して水平方向に電界を発生する横電界表示型のパネル構造が提案されている。
【０００３】
この横電界表示型の液晶パネルは、液晶分子の回転方向が基板面と平行である。すなわち、横電界表示型の液晶パネルでは、液晶分子の基板面に対する垂直方向への回転が少ない。このため、光学特性（コントラスト、輝度、色調）の変化が比較的少ないという特性が知られている。すなわち、横電界表示型の液晶パネルは、縦電界表示型の液晶パネルよりも視野角が大きい特徴がある。
【０００４】
図１に、横電界表示型の液晶パネルを構成する画素領域の断面構造例を示し、図２に対応する平面構造例を示す。
液晶パネル１は、２枚のガラス基板３及び５と、これらによって挟み込まれるように封入された液晶層７とで構成される。各基板のうち外側表面には偏光板９が配置され、内側表面には配向膜１１が配置される。なお、配向膜１１は、液晶層７の液晶分子群を一定方向に配列させるために使用される膜である。一般に、ポリイミド膜が使用される。
【０００５】
また、ガラス基板５には、透明導電膜で形成された画素電極１３と対向電極１５が形成される。このうち、画素電極１３は、櫛歯状に加工された５本の電極枝１３Ａの両端を連結部１３Ｂで連結した構造を有している。一方、対向電極１５は、電極枝１３Ａの下層側（ガラス基板５側）に画素領域の全体を覆うように形成されている。この電極構造により、電極枝１３Ａと対向電極１５の間に放物線状の電界が発生する。図１では、この電界を破線の矢印にて示している。
【０００６】
なお、画素領域は、図２に示す信号線２１と走査線２３とで囲まれた領域が対応する。因みに、各画素領域には、画素電極１３に対する信号電位の印加を制御する薄膜トランジスタが配置される。この薄膜トランジスタのゲート電極は走査線２３と接続されており、走査線２３の電位によってオン・オフ動作が切替制御されるようになっている。
【０００７】
また、薄膜トランジスタの一方の主電極は信号線２１と不図示の配線パターンを通じて接続され、他方の主電極は画素電極のコンタクト２５と接続されている。従って、薄膜トランジスタがオン動作した場合には、信号線２１と画素電極１３が接続状態に制御され、信号電位が画素電極１３に印加される。
また、図２に示すように、この明細書においては、電極枝１３Ａ間の隙間をスリット３１と呼ぶ。図２の場合、スリット３１の延設方向は、信号線２１の延設方向と同じである。
参考までに、図３（Ａ）及び（Ｂ）に、コンタクト２５付近の断面構造を示す。
【先行技術文献】
【特許文献】
【０００８】
【特許文献１】特開平１０−１２３４８２号公報
【特許文献２】特開平１１−２０２３５６号公報
【発明の概要】
【発明が解決しようとする課題】
【０００９】
横電界表示型の液晶パネルでは、図４に示すように、スリット３１の両端部分（電極枝１３Ａが連結部１３Ｂで連結される部分の近く）で、電圧印加時の液晶分子の配向が乱れ易いことが知られている。この現象は、ディスクリネーションと呼ばれる。図４では、ディスクリネーションの発生によって、液晶分子の配列が乱れる領域４１を網掛けにより示している。図４の場合、計１０個の領域４１で液晶分子の配向の乱れが発生する。
【００１０】
ところで、このディスクリネーションに外部圧力（指押し等）が加わると、液晶分子の配列の乱れは、電極枝１３Ａの延設方向に沿って広り、さらに画素の上部、下部のそれぞれから広がるディスクリネーションが画素中央で結合し、形状が保持されてしまう特性がある。なお、このディスクリネーション内における液晶分子は、電界方向から決定される方向とは逆方向に回転してしまっている。以下この現象を、リバースツイスト現象と呼ぶことにする。
図５に、リバースツイスト現象の発生例を示す。図５では、この液晶分子の配列の乱れた領域４３を、電極枝１３Ａの延設方向に沿って延びる網掛け表示として表している。
【００１１】
現在用いられている液晶パネルでは、リバースツイスト現象が発生すると、自然放置によって元に戻せない問題があった。画素の上部と下部のそれぞれから広がるディスクリネーションが画素中央部で結合することにより安定化状態を形成し、領域４３に位置する液晶分子の配向方向を元に戻せないためである。結果的に、リバースツイスト現象の発生した領域４３は、画残り（すなわち、表示ムラ）として視認される問題があった。以下、この画残りを、リバースツイストラインという。
【課題を解決するための手段】
【００１２】
上記課題を解決するため、本発明に係る液晶パネルは、互いに一定の距離を挟んで対向
して配置された第１の基板及び第２の基板、第１の基板と第２の基板との間に液晶分子を封止して成る液晶層、液晶分子を一定の配向方向に配列させる配向膜、第１の基板側に形成された対向電極、第１の基板側に形成された画素電極、並びに、画素電極に電気的に接続された薄膜トランジスタを有し、画素電極は、複数の電極枝及び複数の電極枝の両端を連結する連結部から構成され、一方の連結部において画素電極コンタクト部を介して薄膜トランジスタと接続されており、複数の電極枝は、直線部分において互いに平行に配置されるとともに、各電極枝が相対的に、一方の連結部に最も近い位置に形成される第１の屈曲点、他方の連結部に最も近い位置に形成される第２の屈曲点、第１の屈曲点と第２の屈曲点との間に形成される第３の屈曲点、第３の屈曲点と第１の屈曲点との間に形成される第４の屈曲点、及び第３の屈曲点と第２の屈曲点との間に形成される第５の屈曲点、を有し、複数の電極枝の一方の連結部と第１の屈曲点との間に形成されるスリットの延設方向と配向方向との交差角をα１、他方の連結部と第２の屈曲点との間に形成されるスリットの延設方向と配向方向との交差角を−α１、第１の屈曲点と第４の屈曲点との間に形成されるスリットの延設方向と配向方向との交差角をα２、第２の屈曲点と第５の屈曲点との間に形成されるスリットの延設方向と配向方向との交差角を−α２、第４の屈曲点と第３の屈曲点との間に形成されるスリットの延設方向と配向方向との交差角をα３、第５の屈曲点と第３の屈曲点との間に形成されるスリットの延設方向と配向方向との交差角を−α３、としたとき、７（度）≦α１≦１５（度）、７（度）≦α２、７（度）≦α３≦１５（度）、α２＜α１、α２＜α３、を満足し、当該複数の電極枝は、第３の屈曲点で連結枝によって相互に接続されている。
【００１３】
ここで、画素電極パターンに形成されるスリットのうち、屈曲点を境に画素上部寄りに形成されるスリットの延設方向は、液晶層の配向方向と７°以上の角度で交差するように形成される。この構成により、画素上部近辺に発生する配向乱れを規制する効果を高めることができる。
また、屈曲点を境に画素上部とは反対側に形成されるスリットの延設方向は、液晶層の配向方向と７°以上１５°以下の角度で交差するように形成される構成により、リバースツイストラインの成長が屈曲領域を越えて画面中央側まで進んだ場合にも、速やかに配向乱れを消失させることができる。
【００１４】
因みに、スリットの延設方向と液晶層の配向方向の交差角が、７°以上１５°以下であるのは、交差角が大きいほど電圧印加時の配向安定性が強まる一方で、交差角が大きいほど透過率が低下するためである。
【００１６】
なお、４つ目と５つ目の屈曲点は、３つ目の屈曲点の両側近傍に設けることが望ましい。このとき、３つ目の屈曲点を中心としてその両側に位置する４つ目と５つ目の屈曲点の間に形成されるスリットの延設方向と液晶層の配向方向との交差角を７°以上１５°以下とすることで、画素領域の中央付近における電圧印加時の配向安定性を高めることができる。
【発明の効果】
【００１７】
発明者らは、ディスクリネーションが発生するスリット端部に着目し、この領域付近のスリット延設方向と液晶層の配向方向との交差角が７°以上１５°以下とになるように、画素電極パターンや配向膜を形成する。
この画素構造を採用したことにより、スリット端部における配向安定性を重点的に高めることができる。また、表示ムラの消失時間と相対的な透過率の両方をおおよそ良好な範囲に収めることができる。
【図面の簡単な説明】
【００１８】
【図１】横電界表示型の液晶パネルの断面構造例を説明する図である。
【図２】横電界表示型の液晶パネルの平面構造例を説明する図である。
【図３】コンタクト付近の断面構造例を示す図である。
【図４】ディスクリネーションを説明する図である。
【図５】リバースツイスト現象を説明する図である。
【図６】液晶パネルモジュールの外観例を示す図である。
【図７】液晶パネルモジュールのシステム構成例を示す図である。
【図８】スリットの延設方向と液晶層の配向方向との交差角を説明する図である。
【図９】交差角の大きさと表示ムラの消失時間の関係を説明する図である。
【図１０】交差角の大きさと表示ムラのレベルの関係を説明する図である。
【図１１】交差角の大きさと相対透過率の関係を説明する図である。
【図１２】画素領域の一部に屈曲領域を設ける場合におけるスリットの延設方向と液晶層の配向方向との交差角を説明する図である。
【図１３】画素領域の一部に屈曲領域を設ける場合におけるスリットの延設方向と液晶層の配向方向との交差角を説明する図である。
【図１４】屈曲領域の面積比率と相対透過率の関係を交差角の大きさ別に説明する図である。
【図１５】屈曲領域の面積比が１００％の場合の画素構造例を示す図である。
【図１６】１つ目の画素構造例を示す図である（平面構造）。
【図１７】２つ目の画素構造例を示す図である（平面構造）。
【図１８】３つ目の画素構造例を示す図である（平面構造）。
【図１９】４つ目の画素構造例を示す図である（平面構造）。
【図２０】５つ目の画素構造例を示す図である（平面構造）。
【図２１】６つ目の画素構造例を示す図である（平面構造）。
【図２２】７つ目の画素構造例を示す図である（平面構造）。
【図２３】８つ目の画素構造例を示す図である（平面構造）。
【図２４】９つ目の画素構造例を示す図である（断面構造）。
【図２５】電子機器のシステム構成を説明する図である。
【図２６】電子機器の外観例を示す図である。
【図２７】電子機器の外観例を示す図である。
【図２８】電子機器の外観例を示す図である。
【図２９】電子機器の外観例を示す図である。
【図３０】電子機器の外観例を示す図である。
【発明を実施するための形態】
【００１９】
以下では、発明の最良の形態例を、以下に示す順番で説明する。
（Ａ）液晶パネルモジュールの外観例及びパネル構造
（Ｂ）スリットの延設方向と液晶層の配向方向との間に発見された特性
（Ｃ）画素構造例１（屈曲点が１つのシングルドメイン構造例）
（Ｄ）画素構造例２（屈曲点が１つのシングルドメイン構造例）
（Ｅ）画素構造例３（屈曲点が２つのシングルドメイン構造例）
（Ｆ）画素構造例４（屈曲点が３つのデュアルドメイン構造例）
（Ｇ）画素構造例５（屈曲点が３つのデュアルドメイン構造例）
（Ｈ）画素構造例６（屈曲点が５つのデュアルドメイン構造例）
（Ｉ）画素構造例７（屈曲点が５つのデュアルドメイン構造例）
（Ｊ）画素構造例８（変形例）
（Ｋ）画素構造例９（変形例）
（Ｌ）画素構造例１０（変形例）
（Ｍ）他の形態例
【００２０】
なお、本明細書で特に図示又は記載されない部分には、当該技術分野の周知又は公知技術を適用する。また以下に説明する形態例は、発明の一つの形態例であって、これらに限定されるものではない。
【００２１】
（Ａ）液晶パネルモジュールの外観例及びパネル構造
図６に、液晶パネルモジュール５１の外観例を示す。液晶パネルモジュール５１は、支持基板５３に対向基板５５を貼り合わせた構造を有している。支持基板５３は、ガラス、プラスチックその他の基材で構成される。対向基板５５も、ガラス、プラスチックその他の透明部材を基材とする。対向基板５５は、封止材料を挟んで支持基板５３の表面を封止する部材である。
【００２２】
なお、基板の透明性は光の射出側だけ確保されていれば良く、他方の基板側は不透性の基板でも良い。
この他、液晶パネルモジュール５１には、外部信号や駆動電源を入力するためのＦＰＣ（フレキシブルプリントサーキット）５７が必要に応じて配置される。
【００２３】
図７に、液晶パネルモジュール５１のシステム構成例を示す。液晶パネルモジュール５１は、下部ガラス基板６１（図１のガラス基板５に対応する。）上に、画素アレイ部６３と、信号線ドライバ６５と、ゲート線ドライバ６７と、タイミングコントローラ６９を配置した構成を有している。この形態例の場合、画素アレイ部６３の駆動回路は、１個又は複数個の半導体集積回路として形成され、ガラス基板上に実装される。
【００２４】
因みに、画素アレイ部６３は、表示上の１画素を構成するホワイトユニットがＭ行×Ｎ列に配置されたマトリクス構造を有している。なお、この明細書において、行とは、図中Ｘ方向に配列される３×Ｎ個のサブ画素７１で構成される画素列をいう。また、列とは、図中Ｙ方向に配列されるＭ個のサブ画素７１で構成される画素列をいう。勿論、ＭとＮの値は、垂直方向の表示解像度と水平方向の表示解像度に応じて定まる。
【００２５】
また、信号線ドライバ６５は、画素階調に対応する信号電位Ｖsig を信号線ＤＬに印加するのに用いられる。この形態例の場合、信号線ＤＬは、図中Ｙ方向に延びるように配線されている。
ゲート線ドライバ６７は、信号電位Ｖsig の書き込みタイミングを与える制御パルスをスキャン線ＷＬに印加するのに用いられる。この形態例の場合、スキャン線ＷＬは、図中Ｘ方向に延びるように配線される。
【００２６】
ここで、サブ画素７１には、不図示の薄膜トランジスタが形成されている。なお、薄膜トランジスタのゲート電極はスキャン線ＷＬに接続され、主電極の一方は信号線ＤＬに接続され、主電極の他方は画素電極１３（コンタクト２５）に接続されている。
タイミングコントローラ６９は、信号線ドライバ６５及びゲート線ドライバ６７に駆動パルスを供給する回路デバイスである。
【００２７】
（Ｂ）スリットの延設方向と液晶層の配向方向との間に発見された特性
前述したように、既存の画素構造には、指押し等により液晶分子の配向乱れ（リバースツイスト現象）が発生すると、いつまでも表示ムラとして視認される問題があった。
そこで、発明者らは、画素電極１３の電極枝１３Ａによって形成されるスリット３１の延設方向と液晶層７の配向方向との交差角度を可変することにより、液晶分子の配向乱れが自然に軽減されるかについて実験を行った。なお、液晶層７の配向方向とは（なお、「液晶の配向方向」ともいう。）、液晶がもつ誘電率異方性の向きで定義され、誘電率が大きい方向をいうものとする。
【００２８】
以下、実験によって明らかになった特性を説明する。
まず、図８を用いてスリット３１と液晶層７の配向方向との関係を説明する。図８は、サブ画素７１の平面構造を表した図である。なお、図８においては、スリット３１の延設方向と液晶層７の配向方向との関係に着目するため、薄膜トランジスタ等の表示は省いている。
【００２９】
図８に示す平面構造は、図２で説明した平面構造と同じであり、対応部分には同一符号を付して表している。すなわち、サブ画素７１は、Ｙ方向に延設された信号線２１とＸ方向に延設された走査線２３とで囲まれた矩形領域内に形成される。また、画素電極１３は、５本の電極枝１３Ａとその両端を連結する連結部１３Ｂとで構成される。図８の場合、電極枝１３Ａ同士の間や電極枝１３Ａと図中右側の信号線２１との間に形成されるスリット３１は、Ｙ方向に延設されている。
【００３０】
すなわち、スリット３１の延設方向は、信号線２１に平行であり、走査線２３に垂直であるように形成されている。
また、図８では、液晶層７の配向方向を矢印線で示す。図８の場合、紙面斜め右上方向が液晶層７の配向方向である。図８では、液晶層７の液晶層７とスリット３１の延設方向との交差角をαとして示している。
【００３１】
発明者らは、この交差角αに着目し、様々な交差角αについて表示ムラが消失するまでに要する時間を測定した。
図９に、測定結果を示す。図９の横軸は、スリット３１の延設方向と液晶層７の配向方向との交差角αであり、図９の縦軸は、表示ムラが消失するまでに要した時間である。
図９に示す実験結果より、交差角αが７°未満の場合には、リバースツイスト現象による表示ムラが自然に消失しないことが確認された。
【００３２】
一方、交差角αが７°以上の場合には、リバースツイストラインが自然に消失することが確認された。因みに、交差角αが７°の場合、表示ムラの消失に要した時間は 3.5[秒]であった。また、実験の結果、交差角αが大きいほど、表示ムラが消失するまでの時間が短縮されることが確認された。例えば交差角αが１０°の場合には、３[秒]で表示ムラが消失することが確認された。また例えば交差角αが１５°の場合には、 2.5[秒]で表示ムラが消失することが確認された。また例えば交差角αが２０°の場合には、 1.5[秒]で表示ムラが消失することが確認された。
【００３３】
以上の結果、発明者らは、スリット３１の延設方向と液晶層７の配向方向と交差角αを７°以上に設定することで、横電界表示型の液晶パネルにおける液晶分子の配向安定性を高めることできることを発見した。すなわち、指押し等によりリバースツイストラインが発生しても、配向の乱れを自然に消失できることを発見した。
図１０に、交差角αと表示ムラのレベルとの間に観察された結果を示す。図１０の横軸は、スリット３１の延設方向と液晶層７の配向方向との交差角αであり、図１０の縦軸は、表示ムラの視認レベルである。
【００３４】
図１０に示すように、交差角αが１０°以上であれば、表示画面をいずれの角度から見ても表示ムラが見えないことが確認された。また、交差角αが５°の場合には、表示画面を斜め方向から見た場合に、表示ムラが微かに見えることが確認された。なお、交差角αが５°以上１０°未満の範囲では、図１０に示すように視認性が少しずつ変化することが確認された。
【００３５】
ただし、交差角αが大きすぎると、透過率が低下する特性があることが確認された。図１１に、確認された透過特性を示す。なお、図１１の横軸は、スリット３１の延設方向と液晶層７の配向方向との交差角αであり、図１１の縦軸は、相対透過率である。因みに、図１１における相対透過率は、交差角αが５°の場合の透過率を１００％として表している。
【００３６】
図１１の場合、交差角αが５°の場合に透過率が最大になり、交差角αが４５°の場合に透過率が最小になる。なお、交差角αが４５°の場合における相対的な透過率は約６４％になる。
図１１に示すように、交差角αと相対透過率との間にはおおよそ線形の関係が認められる。この透過率の観点からすると、交差角αは、小さいほど表示輝度の点で有利になることが分かる。
【００３７】
ところで、図９〜図１１に示す特性は、図８に示すように画素領域の全域について、画素電極１３のスリット３１と液晶層７の配向方向とが一定の交差角αで交差する場合を前提とする。この場合、表示ムラの消失時間の短縮を優先して交差角αを設定すると相対的な透過率は小さくなり、相対的な透過率を優先して交差角αを設定すると表示ムラの消失時間が長くなる。
【００３８】
そこで、発明者らは、交差角αを７°以上１５°以下の範囲に定めることを推奨する。交差角αが、これらの角度を満たせば、表示ムラの消失時間と相対的な透過率の両方をおおよそ良好な範囲に収めることができると考えられるためである。
更に、発明者らは、これらの交差角αの条件を画素領域の一部分のみ適用することの効果を実験により確認した。以下、実験結果について説明する。
【００３９】
図１２及び図１３に、実験で使用したサブ画素７１の平面構造例を示す。
図１２や図１３に示す平面構造は、図８で説明した平面構造と同じであり、対応部分には同一符号を付して表している。すなわち、サブ画素７１は、Ｙ方向に延設された信号線２１とＸ方向に延設された走査線２３とで囲まれた矩形領域内に形成される。また、図１２や図１３の場合も、画素電極１３は、５本の電極枝１３Ａとその両端を連結する連結部１３Ｂとで構成される。
【００４０】
図８との違いは、電極枝１３Ａのうちコンタクト２５の近傍、すなわち画素上部に屈曲点を１つ設け、この屈曲点を境に矩形形状の電極枝１３Ａの電極パターンを屈曲させる点である。
図１２や図１３の場合、屈曲点よりも画素領域の中央側に位置する電極枝１３Ａは信号線２１に対して平行に形成され、屈曲点よりもコンタクト２５側に位置する電極枝１３Ａは信号線２１に対して図中右方向に傾いた電極パターンを考える。
図１２及び図１３では、画素領域全体の面積に占める屈曲部分の面積（屈曲点よりもコンタクト２５側の面積）をＡ％として示している。従って、屈曲部分以外の面積は（１００−Ａ）％で与えられる。
【００４１】
図１２と図１３においては、屈曲点よりもコンタクト２５側に位置する電極枝１３Ａによって形成されるスリット３１の延設方向と液晶層７の配向方向との交差角をα１とする。また、信号線２１と平行に形成されるスリット３１の延設方向と液晶層７の配向方向との交差角をα２とする。図１２は、配向方向が図中右上方向であり、スリット延設方向と液晶層７の配向方向との間に、α２＞α１の関係が成立する場合の例である。図１３は、配向方向が図中左上方向であり、スリット延設方向と液晶層７の配向方向との間に、α１＞α２の関係が成立する場合の例である。
【００４２】
図１４に、実験結果を示す。図１４は、屈曲部分の面積比率Ａ（％）の違いによる相対透過率の変化を交差角別に測定した結果を表している。図１４の横軸は、画素領域全体に占める屈曲部分の面積比である。一方、図１４の縦軸は、相対透過率の関係を示している。なお、図中に示す直線は、交差角α１が１０°、１５°、２０°、２５°、３０°、３５°、４０°、４５°の各場合について測定された特性を表している。
【００４３】
図１４に示すように、屈曲部分の面積比率Ａが０％の場合、交差角α１の大きさに関わらず、相対透過率は１００％になる。ここで、屈曲部分の面積比率Ａが０％の場合とは、図８の画素構造を意味する。
そして、屈曲部分の面積比率Ａが大きくなると、交差角α１の大きさに関わらず、相対透過率が低下する特性が確認される。
【００４４】
因みに、屈曲部分の面積比率Ａが１００％の場合の画素構造例の一例が図１５である。この図１５に示す画素構造について得られる相対透過率の特性が前述した図１１に対応する。
なお、交差角α１が小さいほど相対透過率は高く、交差角α１が大きくなるほど相対透過率が低くなることは、図１１の特性と同じである。
【００４５】
さて、図１４からは、次のことが分かる。すなわち、画素電極１３の電極枝１３Ａを屈曲させる領域部分を画素領域の一部分だけに限定すれば、画素領域の全体を屈曲部分とする画素構造（図１５）よりも画素領域の相対透過率を高くできることが分かる。
【００４６】
この際、面積比率Ａの上限は、採用する画素電極１３のパターン構造や液晶層７の配向方向との交差角α１によっても異なるが、ある程度の透過性が得られることが求められる。例えば相対透過率の目安として８０％を考える。図１４の場合であれば、屈曲部分の面積比率Ａを画素領域の面積の５０％以下に定めれば、交差角α１の大きさに関わらず透過率の条件を満たすことができる。
【００４７】
一方、面積比率Ａの下限は、製造工程における解像度限界を考慮して面積比率Ａを設定する。一般に、面積比率Ａが小さいほど、交差角α１の大きさに関わらず、相対透過率が高くなる。従って、交差角α１を大きく定めた状態で面積比率Ａを小さくすることが実用上は好ましいと考えられる。
【００４８】
（Ｃ）画素構造例１
図１６に示す画素構造は、図１２や図１３で説明した画素構造と同じＦＦＳ（Fringe Field Switching）型の液晶パネルを前提とする。
従って、画素領域の断面構造は、図１に示す構造となる。すなわち、対向電極１５は、画素電極１３よりも下層側に画素領域の全域を覆うように配置される。
【００４９】
図１６に示す画素構造は、図１２や図１３と同じく、屈曲点を１つ有する画素構造である。なお、屈曲点は、コンタクト２５の近傍に設けている。もっとも、図１６の場合には、屈曲点からコンタクト２５の方向に延びるスリット３１の延設方向が分かり易いように、屈曲領域の面積が大きくなるように表している。
【００５０】
図１６の場合、屈曲点から画素領域の中央方向に形成されるスリット３１の延設方向は、信号線２１と平行になるように形成する。一方、屈曲点からコンタクト２５の方向に形成されるスリット３１の延設方向は、液晶層７の配向方向に対して交差角α１が７°以上になるように形成する。すなわち、図１６の場合、コンタクト２５の近傍領域についてのみ、スリット３１と配向方向とが７°以上で交差し、その他の画素領域についてはスリット３１と配向方向が７°未満になる画素構造を表している。
【００５１】
ところで、リバースツイストラインの多くは、主にコンタクト２５の近傍付近に位置するスリット３１の終端部分に発生するディスクリネーションが、外部圧力の印加時にスリット３１に沿って成長することで発生する。
しかし、図１６に示す画素構造の場合には、コンタクト２５の近傍付近に屈曲領域を設けているので、この領域部分の配向安定性を高めることができる。結果的に、ディスクリネーションの成長を抑制することができる。
【００５２】
勿論、ディスクリネーションの成長が抑制されれば、リバースツイストラインの発生も抑制することができる。また、仮にリバースツイストラインが発生しても、速やかに消去することができる。また、屈曲領域以外の画素領域におけるスリット延設方向と配向方向との交差角α２は７°未満となるので、相対透過率が１００％近くになる。
これにより、従来技術に比して画面輝度が高くかつリバースツイストライン（画像残り）の少ない液晶パネルを実現することができる。
【００５３】
しかも、屈曲領域の面積比率Ａを極力小さく設定すれば、図１４に示したように、配向安定性の効果を高めながら、画素領域全体としての透過率を更に高めることができる。なお、配向規制力と透過率とのバランスを考慮すると、交差角α１は７°〜１５°程度が望ましい。
【００５４】
（Ｄ）画素構造例２
図１７に、２つ目の画素構造例を示す。この画素構造も、ＦＦＳ（Fringe Field Switching）型の液晶パネルを前提とする構造である。
【００５５】
図１７の場合、屈曲領域以外の画素領域に形成されるスリット３１の延設方向と液晶層７の配向方向との交差角α２が７°以上の条件を満たすことを特徴とする。また、屈曲領域に形成されるスリット３１の延設方向と液晶層７の配向方向との交差角α１は、前述した交差角α２以上の条件を満たすことを特徴とする。
【００５６】
この画素構造の場合、屈曲領域に対応するスリット３１の延設方向と液晶層７の配向方向の交差角α１を７°以上に設定できることにより、画素構造例１の場合と同様、配向安定性を高めてディスクリネーションの成長を抑制することができる。
また、この画素構造の場合、屈曲領域を除く画素領域（画素領域の中央部分）において、スリット３１の延設方向と液晶層７の配向方向とは７°以上の角度α２で交差する。このため、この領域部分までリバースツイストラインが仮に成長したとしても、短時間のうちに自然に消失させることができる。
【００５７】
以上のように、この画素構造の場合には、画素領域の全域について電圧印加時の配向安定性を強めることができ、仮にリバースツイストラインが生じても、これを自然に消失できる液晶パネルを実現できる。すなわち、画素構造例１よりも表示品質の高い液晶パネルを実現できる。
【００５８】
（Ｅ）画素構造例３
図１８に、３つ目の画素構造例を示す。この画素構造も、ＦＦＳ型の液晶パネルを前提とする構造である。
この画素構造も、前述した２つの画素構造と同じく、シングルドメイン構造の画素構造例に対応する。この画素構造例の特徴は、屈曲点（屈曲領域）を２つとする点である。具体的には、２つ目の屈曲点を、コンタクト２５とは反対側の連結部１３Ｂの近傍に設ける点である。
【００５９】
これは、電極枝１３Ａの両端付近の配向規制力を強めてリバースツイストラインの消失に要する時間を短縮するためである。勿論、この画素構造の場合には、電極枝１３Ａのうちコンタクト２５と反対側に位置する終端部分に発生するディスクリネーションも抑制することができる。
【００６０】
なお、図１８に示す画素構造例の場合、屈曲点の位置及び屈曲方向は、画素領域の中心に対して鏡面対称に設定しているが、実際にはこれに限られるものではなく、点対称もしくは非対称としても良い。
勿論、画素領域全体に占める屈曲領域の面積比率が大きくなると透過率が低下するので、屈曲領域はできるだけ小さいことが望ましい。また、屈曲領域についても、配向規制力と透過率とのバランスを考慮すると、交差角α１は７°〜１５°程度が望ましい。
【００６１】
（Ｆ）画素構造例４
図１９に、４つ目の画素構造例を示す。この画素構造も、ＦＦＳ型の液晶パネルを前提とする構造である。
【００６２】
図１９に示す画素構造例の場合には、３つ目の屈曲点を、画素領域の中央付近に配置する。図１９に示す画素構造は、この３つ目の屈曲点よりＸ軸方向に延びる仮想線を境界として上下鏡面構造になっているが実際にはこれに限られるものではない。
【００６３】
ここで、図１９に示す画素構造例では、画素領域の両端部分に位置する２つの屈曲領域において、液晶層７の配向方向とスリット３１の延設方向とが７°以上で交差するように形成されている。
図１９は、画素電極１３がＸ軸方向に延びる仮想線を境界として上下鏡面構造になることに着目し、液晶層７の配向方向をＹ軸方向と平行になるように設定している。
【００６４】
なお、屈曲点３を含む画素領域中央の屈曲領域において、液晶層７の配向方向とスリット３１の延設方向との交差角α２は任意であるものとする。画素領域中央に形成する屈曲点３は、視野角依存性を改善することを第１の目的として形成されているのにすぎないためである。
【００６５】
勿論、屈曲点３と屈曲点１の間に形成されるスリット３１と液晶層７の配向方向との交差角α２が７°以上であれば配向安定性が強まるため、リバースツイストラインが仮に発生しても確実に消去することができる。同様の理由により、屈曲点３と屈曲点２の間に形成されるスリット３１と液晶層７の配向方向との交差角α２が７°以上あることが望ましい。
【００６６】
さて、この画素構造を有する画素構造の場合、画素領域の上半分と下半分で液晶分子の回転方向が逆向きになる。すなわち、画素領域の図中上半分では電界の印加によって液晶分子が反時計回りに回転するのに対し、画素領域の図中下半分では電界の印加によって液晶分子が時計回りに回転する。
【００６７】
このように、液晶分子の回転方向が逆方向になることにより、斜め方向での視野角特性を補償し合うため、視野角依存性を改善することが可能になる。
【００６８】
（Ｇ）画素構造例５
図２０に、５つ目の画素構造例を示す。この画素構造は、図１９に示したデュアルドメイン構造の変形例に対応する。
相違点は、３つ目の屈曲点において、電極枝１３Ａを相互に接続する連結枝１３Ｃを追加的に配置する点である。
【００６９】
図１９に示す画素構造の場合、上下２つのドメインの境界部分で液晶分子の回転方向が逆向きとなり、配向の乱れが生じてしまう。このため、リバースツイストラインが発生した場合に、リバースツイストラインの消失に少なからず影響が発生する。
【００７０】
一方、図２０に示す画素構造の場合には、連結枝１３Ｃによって２つのドメインが完全に分離される。これにより、配列の乱れを無くすことができる。結果的に、図２０に示す画素構造は、リバースツイストラインの消失に要する時間を、図１９に示す画素構造よりも短くでき、その分、表示品質を高めることができる。
【００７１】
（Ｈ）画素構造例６
図２１に、６つ目の画素構造例を示す。なお、図２１に示す画素構造は、図１９に示した画素構造の変形例に対応する。
前述した４つ目の画素構造（図１９）の場合には、２つのドメインを完全に分離し、ドメイン境界部分の配向乱れを抑制する手法を採用した。
【００７２】
一方、この画素構造例の場合には、３つ目の屈曲点の両側近傍に４つ目と５つ目の屈曲点を形成する構造を採用する。このとき、３つ目の屈曲点と４つ目の屈曲点の間に形成されるスリット３１の延設方向と液晶層７の配向方向との交差角α３が７°以上になるように、画素パターンを形成する。同様に、３つ目の屈曲点と５つ目の屈曲点の間に形成されるスリット３１の延設方向と液晶層７の配向方向との交差角α３が７°以上になるように、画素パターンを形成する。
【００７３】
すなわち、この７つ目の画素構造例では、３つ目の屈曲点の近傍領域における配向安定性を強めることにより、ドメイン境界部分の配向乱れを抑制する手法を採用する。
勿論、図２２に示す画素構造は、３つ目の屈曲点よりＸ軸方向に延びる仮想線を境界として上下鏡面構造になる点は、図１９に示した４つ目の画素構造と同じである。
【００７４】
すなわち、画素領域の両端付近に形成される屈曲領域のスリット延設方向は、７°以上の交差角で液晶層７の配向方向と交差するように形成される。この構造により、画素領域の両端部分の配向安定性が強めることができ、ディスクリネーションを効果的に抑制することができる。
【００７５】
一方、１つ目の屈曲点と４つ目の屈曲点の間に位置する領域では、対応するスリット３１の延設方向と液晶層７の配向方向との交差角α２が、透過率が大きくなるように選択される。２つ目の屈曲点と５つ目の屈曲点の間に位置する領域についても同様である。
【００７６】
以上の画素構造により、画素領域の上下両端部分に発生するディスクリネーションとドメイン境界部分に発生するディスクリネーションの消失に要する時間を短縮することができる。また、外部圧力に伴って、リバースツイストラインがこれらの領域に発生した場合でも、速やかに消去することができる。
【００７７】
（Ｉ）画素構造例７
図２２に、７つ目の画素構造例を示す。なお、図２２に示す画素構造は、図２０に示した画素構造の変形例に対応する。
５つ目の画素構造の場合には、２つのドメインを完全に分離することにより、配向乱れを抑制する手法を採用した。ただし、この画素構造の場合には、どうしても連結枝１３Ｃの近傍領域にディスクリネーションが発生してしまう。
【００７８】
そこで、この画素構造例の場合には、３つ目の屈曲点の両側近傍に４つ目と５つ目の屈曲点を新たに形成し、連結枝１３Ｃの近傍領域の配向安定性を強化する構造を採用する。このとき、３つ目の屈曲点と４つ目の屈曲点の間に形成されるスリット３１の延設方向と液晶層７の配向方向との交差角α３が７°以上になるように、画素パターンを形成する。同様に、３つ目の屈曲点と５つ目の屈曲点の間に形成されるスリット３１の延設方向と液晶層７の配向方向との交差角α３が７°以上になるように、画素パターンを形成する。
【００７９】
すなわち、この７つ目の画素構造例では、３つ目の屈曲点の近傍領域の配向安定性を強めることにより、配向乱れを抑制する手法を採用する。
勿論、図２２に示す画素構造は、３つ目の屈曲点よりＸ軸方向に延びる仮想線を境界として上下鏡面構造になる点は、図２０に示した５つ目の画素構造と同じである。
【００８０】
すなわち、画素領域の両端付近に形成される屈曲領域のスリット延設方向は、７°以上の交差角で液晶層７の配向方向と交差するように形成される。この領域では、配向安定性が強められている。
一方、１つ目の屈曲点と４つ目の屈曲点の間のスリット延設方向は、透過率が大きくなるように選択された交差角α２で液晶層７の配向方向と交差する。勿論、２つ目の屈曲点と５つ目の屈曲点の間のスリット延設方向についても、透過率が大きくなるように選択された交差角α２で液晶層７の配向方向と交差する。
【００８１】
以上の構成の採用により、画素領域の両端部分に発生するディスクリネーションとドメイン境界部分に発生するディスクリネーションの消失に要する時間を短縮することができる。また、画素領域の中央部分に発生するリバースツイストラインの消失に要する時間も短縮することができる。
【００８２】
（Ｊ）画素構造例８
前述した７つの画素構造例の場合には、櫛歯状に加工された画素電極１３の下層に、画素領域の全体を覆うように対向電極１５を配置した画素構造を有する液晶パネルについて説明した。
【００８３】
しかし、図２３に示すように、対向電極１５についても櫛歯状に加工した液晶パネルを採用しても良い。なお図２３の場合、対向電極１５の電極枝１５Ａは、画素電極１３の電極枝１３Ａの隙間（スリット３１）を埋めるように配置される。すなわち、対向電極１５の電極枝１５Ａは、画素領域内で、画素電極１３の電極枝１３Ａと重ならないように配置される。
【００８４】
（Ｋ）画素構造例９
前述した各画素構造例の場合には、いずれも画素電極１３と対向電極１５が層違いに形成される画素構造を前提に説明した。
しかしながら、発明者らの提案する技術は、画素電極１３と対向電極１５が同一層に形成される横電界表示型の液晶パネルにも適用できる。
【００８５】
図２４に、９個目の画素構造例に対応する断面構造例を示す。なお、画素電極１３と対向電極１５以外の構造は、基本的に図１及び図２で説明した画素構造と同じである。
すなわち、液晶パネル９１は、２枚のガラス基板３及び５と、これらによって挟み込まれるように封入された液晶層７とで構成される。各基板のうち外側表面には偏光板９が配置され、内側表面には配向膜１１が配置される。
【００８６】
図２４の場合も、画素電極１３と対向電極１５はガラス基板５に形成される。このうち、画素電極１３は、櫛歯状に加工された４本の電極枝１３Ａの一端を連結部１３Ｂで連結した構造を有している。一方、対向電極１５は、櫛歯状に加工された３本の電極枝１５Ａの一端を共通電極線３３に接続した構造を有している。ここで、対向電極１５の電極枝１５Ａは、画素電極１３の電極枝１３Ａの隙間に嵌め込まれるように配置される。なお、共通電極線３３は、信号線２１と走査線２３に沿うように格子状に形成する。
【００８７】
この電極構造のため、図２４に示すように、画素電極１３の電極枝１３Ａと対向電極１５の電極枝１５Ａが同一層に交互に配置される。この電極構造により、画素電極１３の電極枝１３Ａと対向電極１５の電極枝１５Ａの間に放物線状の電界が発生する。図２４には、この電界を破線にて示す。
【００８８】
この画素構造により、指押し等によるリバースツイスト現象によって液晶分子の配列が乱れたとしても、数秒以内に自然に消去することができる液晶パネルを実現することができる。勿論、横電界による広視野角も実現することができる。
【００８９】
（Ｌ）画素構造例１０
前述した５つの画素構造例においては、いずれも画素電極１３の電極枝１３Ａによって形成されるスリット３１の延設方向が信号線２１と平行又は信号線２１に対して斜めに交差する場合について説明した。
しかしながら、画素電極１３の電極枝１３Ａによって形成されるスリット３１の延設方向は、走査線２３と平行又は走査線２３に対して斜めに交差しても良い。
【００９０】
（Ｍ）他の形態例
（Ｍ−１）基板材料
前述の形態例に係る説明では、基板をガラス基板としたが、プラスチック基板その他の基板を用いても良い。
【００９１】
（Ｍ−２）製品例
前述の説明では、横電界を発生し得る様々な画素構造について説明した。ここでは、これら形態例に係る画素構造を有する液晶パネル（駆動回路を実装しない状態）や液晶パネルモジュール（駆動回路を実装した状態）を実装した電子機器について説明する。
【００９２】
図２５に、電子機器１０１の概念構成例を示す。電子機器１０１は、前述した画素構造を有する液晶パネル１０３、システム制御部１０５及び操作入力部１０７で構成される。システム制御部１０５で実行される処理内容は、電子機器１０１の商品形態により異なる。
【００９３】
また、操作入力部１０７の構成も商品形態により異なり、例えばＧＵＩ（グラフィックユーザーインターフェース）、スイッチ、ボタン、ポインティングデバイスその他の操作子で構成される。
【００９４】
なお、電子機器１０１は、機器内で生成される又は外部から入力される画像や映像を表示する機能を搭載していれば、特定の分野の機器には限定されない。
図２６に、その他の電子機器がテレビジョン受像機の場合の外観例を示す。テレビジョン受像機１１１の筐体正面には、フロントパネル１１３及びフィルターガラス１１５等で構成される表示画面１１７が配置される。表示画面１１７の部分が、形態例で説明した液晶パネルに対応する。
【００９５】
また、この種の電子機器１０１には、例えばデジタルカメラが想定される。図２７に、デジタルカメラ１２１の外観例を示す。図２７（Ａ）が正面側（被写体側）の外観例であり、図２７（Ｂ）が背面側（撮影者側）の外観例である。
【００９６】
デジタルカメラ１２１は、保護カバー１２３、撮像レンズ部１２５、表示画面１２７、コントロールスイッチ１２９及びシャッターボタン１３１で構成される。このうち、表示画面１２７の部分が、形態例で説明した液晶パネルに対応する。
【００９７】
また、この種の電子機器１０１には、例えばビデオカメラが想定される。図２８に、ビデオカメラ１４１の外観例を示す。
ビデオカメラ１４１は、本体１４３の前方に被写体を撮像する撮像レンズ１４５、撮影のスタート／ストップスイッチ１４７及び表示画面１４９で構成される。このうち、表示画面１４９の部分が、形態例で説明した液晶パネルに対応する。
【００９８】
また、この種の電子機器１０１には、例えば携帯端末装置が想定される。図２９に、携帯端末装置としての携帯電話機１５１の外観例を示す。図２９に示す携帯電話機１５１は折りたたみ式であり、図２９（Ａ）が筐体を開いた状態の外観例であり、図２９（Ｂ）が筐体を折りたたんだ状態の外観例である。
【００９９】
携帯電話機１５１は、上側筐体１５３、下側筐体１５５、連結部（この例ではヒンジ部）１５７、表示画面１５９、補助表示画面１６１、ピクチャーライト１６３及び撮像レンズ１６５で構成される。このうち、表示画面１５９及び補助表示画面１６１の部分が、形態例で説明した液晶パネルに対応する。
【０１００】
また、この種の電子機器１０１には、例えばコンピュータが想定される。図３０に、ノート型コンピュータ１７１の外観例を示す。
ノート型コンピュータ１７１は、下側筐体１７３、上側筐体１７５、キーボード１７７及び表示画面１７９で構成される。このうち、表示画面１７９の部分が、形態例で説明した液晶パネルに対応する。
【０１０１】
これらの他、電子機器１０１には、プロジェクター、オーディオ再生装置、ゲーム機、電子ブック、電子辞書等が想定される。
【０１０２】
（Ｍ−３）その他
前述した形態例には、発明の趣旨の範囲内で様々な変形例が考えられる。また、本明細書の記載に基づいて創作される又は組み合わせられる各種の変形例及び応用例も考えられる。
【符号の説明】
【０１０３】
１１        配向膜
１３        画素電極
１３Ａ      電極枝
１３Ｂ      連結部
１３Ｃ      連結枝
１５        対向電極
１５Ａ      電極枝
３１        スリット
【図６】
0005458059.tif 000002
【図７】
0005458059.tif 000003
【図１０】
0005458059.tif 000004
【図１１】
0005458059.tif 000005
【図１４】
0005458059.tif 000006
【図１】
0005458059.tif 000007
【図２】
0005458059.tif 000008
【図３】
0005458059.tif 000009
【図４】
0005458059.tif 000010
【図５】
0005458059.tif 000011
【図８】
0005458059.tif 000012
【図９】
0005458059.tif 000013
【図１２】
0005458059.tif 000014
【図１３】
0005458059.tif 000015
【図１５】
0005458059.tif 000016
【図１６】
0005458059.tif 000017
【図１７】
0005458059.tif 000018
【図１８】
0005458059.tif 000019
【図１９】
0005458059.tif 000020
【図２０】
0005458059.tif 000021
【図２１】
0005458059.tif 000022
【図２２】
0005458059.tif 000023
【図２３】
0005458059.tif 000024
【図２４】
0005458059.tif 000025
【図２５】
0005458059.tif 000026
【図２６】
0005458059.tif 000027
【図２７】
0005458059.tif 000028
【図２８】
0005458059.tif 000029
【図２９】
0005458059.tif 000030
【図３０】
0005458059.tif 000031